(57)【特許請求の範囲】
【請求項１】
左右１対の縦枠材と、その上下部に架設された横枠材とにより形成される開口部に、縦桟または横桟を取付ける取付構造において、互いに対向する枠材同士のいずれか一方の対向面に係合孔を穿設し、かつ他方の対向面に、枠材の前後いずれかの面に開口する前後方向を向くスリットを設け、前記係合孔に、全長を前記対向面間の距離とスリットの深さとの和とほぼ同一かまたは若干小とした縦桟または横桟の一端に設けた突起を嵌合し、前記スリットに、前記縦桟または横桟の他端に設けた突片を嵌合するとともに、突片とスリットの奥端との間に、突片のスリットの奥への侵入を阻止する栓体を、枠材の前後いずれかの面におけるスリットの開口端より嵌挿したことを特徴とする間仕切の開口部における桟の取付構造。
【請求項２】
スリットを、枠材の前後両面に開口するように設け、かつ前後１対の栓体を、スリットの前後の開口より、スリットと突片との間に嵌挿したことを特徴とする請求項１記載の間仕切の開口部における桟の取付構造。
【請求項３】
スリットを設ける枠材の対向面のほぼ中央に、スリットの切り込み深さとほぼ同一かまたは若干深い長手方向を向く凹入溝を、スリットと交差するように設け、スリットに嵌挿した栓体の一部が、凹入溝の底壁に当接するようにした請求項１または２記載の間仕切の開口部における桟の取付構造。
【請求項４】
縦桟または横桟における突起と突片とを除く中間部分の断面形状がほぼＨ字状とした請求項１〜３のいずれかに記載の間仕切の開口部における桟の取付構造。
【請求項５】
栓体を、突片の先端部を囲むＵ字状とした請求項１〜４のいずれかに記載の間仕切の開口部における桟の取付構造。
【発明の詳細な説明】
【０００１】
【発明の属する技術分野】
本発明は、間仕切の開口部に、縦桟または横桟を取付ける構造に関する。
【０００２】
【従来の技術】
従来のこの種の構造としては、例えば特開平８−２８１５６号公報に開示されているように、縦桟または横桟の端部を、枠材に形成した嵌合孔に嵌合し、ねじ止めするか(公報中の図６参照)、または連結ロッド等を、各桟の先端部に穿設した連結孔に挿通させて抜け止めする(同上図４参照)のが一般的である。
【０００３】
【発明が解決しようとする課題】
しかし、上述したような従来の構造では、ねじ止め作業や、連結ロッドを各桟の端部の連結孔に挿通させる作業が煩雑であり、組立て作業に多くの時間と労力を要するという問題がある。
【０００４】
本発明は、従来の技術が有する上記のような問題点に鑑み、縦桟または横桟を、簡単かつ迅速に、しかも体裁よく確実に間仕切の開口部に装着しうるようにした間仕切の開口部における桟の取付構造を提供することを目的としている。
【０００５】
【課題を解決するための手段】
本発明によると、上記課題は次のようにして解決される。
(１) 左右１対の縦枠材と、その上下部に架設された横枠材とにより形成される開口部に、縦桟または横桟を取付ける取付構造において、互いに対向する枠材同士のいずれか一方の対向面に係合孔を穿設し、かつ他方の対向面に、枠材の前後いずれかの面に開口する前後方向を向くスリットを設け、前記係合孔に、全長を前記対向面間の距離とスリットの深さとの和とほぼ同一かまたは若干小とした縦桟または横桟の一端に設けた突起を嵌合し、前記スリットに、前記縦桟または横桟の他端に設けた突片を嵌合するとともに、突片とスリットの奥端との間に、突片のスリットの奥への侵入を阻止する栓体を、枠材の前後いずれかの面におけるスリットの開口端より嵌挿する。
【０００６】
(２) 上記(１)項において、スリットを、枠材の前後両面に開口するように設け、かつ前後１対の栓体を、スリットの前後の開口より、スリットと突片との間に嵌挿する。
【０００７】
(３) 上記(１)または(２)項において、スリットを設ける枠材の対向面のほぼ中央に、スリットの切り込み深さとほぼ同一かまたは若干深い長手方向を向く凹入溝を、スリットと交差するように設け、スリットに嵌挿した栓体の一部が、凹入溝の底壁に当接するようにする。
【０００８】
(４) 上記(１)〜(３)項のいずれかにおいて、縦桟または横桟における突起と突片とを除く中間部分の断面形状がほぼＨ字状とする。
【０００９】
(５) 上記(１)〜(４)項のいずれかにおいて、栓体を、突片の先端部を囲むＵ字状とする。
【００１０】
【発明の実施の形態】
以下、本発明の一実施形態を、図面を参照して説明する。
【００１１】
この間仕切パネルは、左右１対の角管状の縦枠材(２)の上下部に、左右方向を向く上下の横枠材(３)(４)を架設して形成した方形の間仕切枠(１)を備えている。
なお、図示の例では、両縦枠材(２)を、下部の横枠材(４)よりさらに下方に延出して、その両側面に、腰板パネル(５)及び幅木(６)を架設してある。
【００１２】
上部の横枠材(３)は、ほぼ角管状をなすが、下端部の断面形状が、中央に上方に向かって凹入する凹入溝(７)を有するほぼＷ字状をなしている。
【００１３】
横枠材(３)の下面における長手方向に適宜の間隔、好ましくは等間隔を置いた複数の個所(図示の例では３個所)には、凹入溝(７)の前後よりほぼ放物線状をなして垂下する下向き膨出部(3a)の下端から凹入溝(７)の底に相当する水平片(7a)の下面またはそれに近い部分まで至る前後方向を向くスリット(８)が切設されている。
【００１４】
下部の横枠材(４)は、水平な基片(4a)の前後部より、腰板パネル(５)の上部内面に当接する前後１対の垂下片(4b)が連設されて、ほぼπ字状の断面形状をなしている。
【００１５】
基片(4a)における上部の横枠材(３)のスリット(８)に対向する部分には、前後方向に長い係合孔(９)が穿設されている。
【００１６】
上下方向を向く縦桟(10)は、前後方向を向く基片(10a)の前後の端部に、左右方向を向く側片(10b)の中央部を連設したものよりなり、横断面形がＨ字状をなしている。
【００１７】
縦桟(10)の基片(10a)の下端中央には、係合孔(９)とほぼ補形をなす短寸の突起(11)が形成されており、縦桟(10)の上端には、前後の側片(10b)を切除して基片(10a)のみを残すことにより、突片(12)が形成されている。
【００１８】
縦桟(10)の突起(11)の先端から突片(12)の先端までの全長(Ｌ1)は、上下の横枠材(３)(４)の対向面間の距離(Ｌ2)とスリット(８)の切り込み深さ(Ｌ3)との和(Ｌ4)とほぼ同一か、または若干小としてある。
したがって、縦桟(10)は、図４に示すように、ほぼ垂直状態を維持したまま、間仕切枠(１)の前方または後方から、その突片(12)をスリット(８)に嵌挿し、突起(11)を係合孔(９)に対峙させることができる。
【００１９】
次いで、縦桟(10)を若干下降させることにより、突起(11)を係合孔(９)に嵌合させることができる。
このとき形成される突片(12)とスリット(８)の上端との間には、突片(12)の上方への移動、すなわちスリット(８)の奥の方への侵入を阻止する栓体(13)が横枠材(３)の前後より嵌挿される。
【００２０】
この例では、栓体(13)は、前後１対のものとし、突片(12)の前後方向の幅のほぼ２分の１の長さとした逆Ｕ字状の差し込み部(13a)の外端に、縦桟(10)の側片(10b)と同一の左右方向の幅を有する板状の鍔部(13b)を連設したものよりなっている。
【００２１】
前後の栓体(13)は、その鍔部(13b)が横枠材(３)の前後面に当接するまで、差し込み部(13a)をスリット(８)に前後から嵌挿することにより、差し込み部(13a)の先端同士が互いにつき合わされ、かつそれらの先端部の上面が凹入溝(７)の水平片(7a)の下面に当接して、上方への移動が阻止され、縦桟(12)の上下及び左右への移動やがたつきが阻止される。また、縦桟(12)の前後方向の移動は、突片(12)の前後の端部が前後の栓体(13)の鍔部(13b)の内面に当接することにより阻止される。
【００２２】
なお、スリット(８)を、例えば横枠材(３)の後方のみに開口し、前端は閉塞されるように形成しておき、縦桟(10)の突片(12)をスリット(８)の後端から嵌挿し、かつ差し込み部(13a)の長さを突片(12)を前後方向の幅と同一とした１個の栓体を、スリット(８)の後端から嵌挿するようにしてもよい。
【００２３】
３本の縦桟(10)を上下の横枠材(３)(４)間にすべて装着した後、間仕切枠(１)の両側面に、透光性パネルであるガラスパネル(14)が装着される。
各ガラスパネル(14)は、上下方向に分割された４枚の単位パネル(15)からなっている。
【００２４】
各単位パネル(15)は、その両側縁と上下の縁とに縁材(16)が固着され、両側縁の縁材(16)の後面に設けられた下向き鈎形の上下１対のフック(17)を、縦枠材(２)の両側面に設けられた係合孔(18)に嵌合して係止させることにより、下段のものから順に間仕切枠(１)に装着される。装着された各単位パネル(15)は、縁材(16)が必要に応じてゴム板等の緩衝材(図示略)を介して、縦桟(10)の前後面に当接して、内方への撓みが阻止される。
【００２５】
最下段の単位パネル(15)の下縁の縁材(16)は腰板パネル(５)の上端に載り、それより上方の単位パネル(15)の下縁の縁材(16)は、その直下の単位パネル(15)の上縁の縁材(16)上に乗り、それらの上下に当接し合った縁材(16)により、疑似横桟(19)が形成され、間仕切を前方または後方から見たとき、この疑似横桟(19)と縦桟(13)とにより、あたかも格子があるように見える。
【００２６】
(20)は、上部の横枠材(３)と最上位の単位パネル(15)の上端とを覆う上部カバー、(21)は、縦枠材(２)、単位パネル(15)、腰板パネル(５)及び幅木(６)等の外側面を覆う側部カバーである。
【００２７】
なお、ガラスパネル(14)に代えて、アクリルパネルやその他のパネルを透光性パネルとして用いることもある。
【００２８】
上述の実施形態では、縦桟(10)を両ガラスパネル(14)間の空間内に配設するようにしたが、図１に示した間仕切を、９０度側方に倒した状態で用いることもできる。そのときは、縦桟(10)は横桟となり、それが装着される横枠材(３)(４)は、縦枠材となる。
さらに、スリット(８)を下部の横枠材(４)の上面に設け、係合孔(９)を上部の横枠材(３)の下面に設けて実施してもよい。
【００２９】
【発明の効果】
請求項１記載の発明によると、縦桟または横桟を、まずその突片をスリットに嵌挿して、突起を係合孔に対峙させた後、栓体を長手方向に移動させて、突起を係合孔に嵌合し、それによって突片とスリットとの間に形成される空隙内に栓体を嵌挿することにより、枠材に簡単に装着することができる。
また構造が簡単で、容易に製造でき、しかも、縦桟または横桟は、妄りに移動したり、外れたりすることなく、確実に枠材に装着される。
【００３０】
請求項２記載の発明によると、縦桟または横桟を、前後いずれからでも枠材に装着することができるので、作業性がよく、しかも１対の栓体を枠材の前後から装着するので、個々の栓体の長さを、枠材の前後幅の２分の１以下とすることができる。
【００３１】
請求項３記載の発明によると、枠材を中空の管材により形成する場合に有用である。すなわち、枠材を中空の角管等により形成した場合、スリットに嵌挿した栓体の先端部が中空部分に落ち込んで、支持が不安定となるが、請求項３記載の構成とすることにより、先端部等が凹入溝の底壁に当接することにより、栓体の支持が安定する。
【００３２】
請求項４記載の発明によると、縦桟または横桟の強度が向上するとともに、デザイン上の美観も向上する。
【００３３】
請求項５記載の発明によると、栓体をＵ字状として、突片の先端部を囲んだことにより、縦桟または横桟の上下方向と左右方向とのがたつきを防止することができる。
【図面の簡単な説明】
【図１】本発明の一実施形態を備える間仕切の斜視図である。
【図２】同じく、要部の分解斜視図である。
【図３】同じく、縦枠材の取付要領を示す要部の斜視図である。
【図４】同じく、縦枠材の取付要領を示す要部の縦断側面図である。
【図５】同じく、縦枠材と栓体との関係を示す要部の拡大横断平面図である。
【図６】同じく、ガラスパネルを装着した状態の要部の縦断側面図である。
【符号の説明】
(１)間仕切枠
(２)縦枠材
(３)(４)横枠材
(3a)下向き膨出部
(4a)基片
(4b)垂下片
(５)腰板パネル
(６)幅木
(７)凹入溝
(7a)水平片
(８)スリット
(９)係合孔
(10)縦桟
(10a)基片
(10b)側片
(11)突起
(12)突片
(13)栓体
(13a)差し込み部
(13b)鍔部
(14)ガラスパネル(透光性パネル)
(15)単位パネル
(16)縁材
(17)フック
(18)係合孔
(19)疑似横桟
(20)上部カバー
(21)側部カバー
【図１】
0004071408.tif 000002
【図２】
0004071408.tif 000003
【図３】
0004071408.tif 000004
【図４】
0004071408.tif 000005
【図５】
0004071408.tif 000006
【図６】
0004071408.tif 000007